(57)【特許請求の範囲】
【請求項１】
家具取付具（１０１）を家具（１１０）へ固定するための固定デバイス（１００）であって、前記家具取付具（１０１）は、前記固定デバイス（１００）により、選択的に左側（１０２）または右側（１０３）の家具取付け側面で前記家具（１１０）へ固定されることが可能であり、
−  接続エレメント（１）と、
−  貫通開口（２１）を有する固定体（２０）とを備え、前記接続エレメント（１）は、少なくとも部分的に前記貫通開口（２１）内に配置され、かつ前記接続エレメント（１）は、前記固定体（２０）に対して限定的に移動可能である、固定デバイス（１００）において、
前記接続エレメント（１）は、前記家具取付具（１０１）を前記家具（１１０）へ固定するための少なくとも２つの接続エレメント突合わせ部（２、３）およびさらに２つの接続エレメント領域（４、５）を有し、かつ前記固定体（２０）上または内部には少なくとも２つの突合わせ部（２２、２３）が設けられ、前記接続エレメント突合わせ部（２、３）は、前記接続エレメント（１）から径方向に突き出しており、組み立て状態において、前記２つの突合わせ部（２２、２３）のうちの各々は、組立て位置における前記２つの接続エレメント突合わせ部（２、３）の一方にのみ当接することを特徴とする固定デバイス（１００）。
【請求項２】
前記接続エレメント（１）および前記固定体（２０）は、合わせて組み立て済みの分離不可能な構造ユニット（５０）の形式であることを特徴とする、請求項１に記載の固定デバイス。
【請求項３】
前記接続エレメント（１）は、前記固定体（２０）内の前記貫通開口（２１）を略完全に貫通して延びることを特徴とする、請求項１または２に記載の固定デバイス。
【請求項４】
組立て状態において、前記接続エレメント（１）は、一方で前記固定体（２０）内の前記貫通開口（２１）内に沈んで受容され、かつ他方で前記家具（１１０）内に受容されることを特徴とする、請求項１から３のいずれか一項に記載の固定デバイス。
【請求項５】
前記接続エレメント（１）は一体式であることを特徴とする、請求項１から４のいずれか一項に記載の固定デバイス。
【請求項６】
前記接続エレメント突合わせ部（２、３）は、前記接続エレメント（１）上のフランジ（６）の形式であることを特徴とする、請求項１から５のいずれか一項に記載の固定デバイス。
【請求項７】
前記接続エレメント領域（４、５）は、前記家具（１１０）へ、力によるロックおよび／またはポジティブロック関係で接続され得ることを特徴とする、請求項１から６のいずれか一項に記載の固定デバイス。
【請求項８】
前記２つの接続エレメント領域（４、５）は、前記接続エレメント（１）上へ互いに対称に形成されることを特徴とする、請求項１から７のいずれか一項に記載の固定デバイス。
【請求項９】
前記組立て位置において、接続エレメント領域（４、５）は、前記左側（１０２）または右側（１０３）の家具取付け側面を超えて突き出すことを特徴とする、請求項１から８のいずれか一項に記載の固定デバイス。
【請求項１０】
前記接続エレメント（１）の前記接続エレメント領域（４、５）は、それぞれねじ山（７、８）を有することを特徴とする、請求項１から９のいずれか一項に記載の固定デバイス。
【請求項１１】
前記接続エレメント（１）は、２つの端（９、１０）を有し、前記接続エレメント（１）の前記２つの端（９、１０）は、ねじボルト（１１、１２）の形式であることを特徴とする、請求項１から１０のいずれか一項に記載の固定デバイス。
【請求項１２】
前記接続エレメント（１）上には、２つの別々のツール受入れ手段（１３、１４）が設けられることを特徴とする、請求項１から１１のいずれか一項に記載の固定デバイス。
【請求項１３】
前記ツール受入れ手段（１３、１４）は、スロット、または交差スロット、または六角リセス、またはヘクサロビュラリセスの形式であることを特徴とする、請求項１２に記載の固定デバイス。
【請求項１４】
家具取付具（１０１）を家具（１１０）へ固定するための請求項１から１３のいずれか一項に記載の少なくとも１つの固定デバイス（１００）を有する、前記家具（１１０）の家具取付具（１０１）。
【請求項１５】
前記固定体（２０）は、略完全に前記家具取付具（１０１）内に設けられることを特徴とする、請求項１４に記載の家具取付具。
【請求項１６】
前記固定体（２０）上の前記突合わせ部（２２、２３）は、前記左側（１０２）および右側（１０３）の家具取付け側面と離隔された関係性で前記家具取付具（１０１）内に設けられることを特徴とする、請求項１４または１５に記載の家具取付具。
【請求項１７】
前記家具取付具（１０１）は、可動家具部（１０４）の跳出しデバイス、駆動デバイス、引込みデバイスまたは制動デバイスの形式、または家具フラップ（１０５）の作動ドライブ（１０６）の形式、または引出し延長ガイドの形式、または照明デバイスの形式であることを特徴とする、請求項１４から１６のいずれか一項に記載の家具取付具。
【請求項１８】
請求項１４から１７のいずれか一項に記載の家具取付具（１０１）を有する家具（１１０）。
【発明の詳細な説明】
【技術分野】
【０００１】
本発明は、家具取付具を家具へ固定するための固定デバイスに関し、この場合の家具取付具は、固定デバイスにより、選択的に左側または右側の家具取付け側面で家具へ固定されることが可能である。
【０００２】
本発明はさらに、このような固定デバイスを有する家具のための家具取付具に関する。本発明はさらに、このような家具取付具を有する家具に関する。
【背景技術】
【０００３】
この種の固定デバイスは、例えば、２００７年１２月１５日付けの特許文献１に示されている。この場合は家具フラップ用作動ドライブの形式である家具取付具は、その固定デバイスによって家具カーカスへ固定される。この場合、作動ドライブは、家具カーカスの左側面および右側面の双方へ固定されることが可能な構造であり、よって、１つの構造の作動ドライブで双方の組立て位置を実現することができる。この目的に沿って、固定デバイスは、作動ドライブの片側から反対側への貫通開口を有する。これらの貫通開口には、通常はねじである接続エレメントが導入され、作動ドライブは、このねじによって家具カーカスへ堅固にねじ留めされる。家具カーカスの反対側での組立てを実行するために、ねじは、作動ドライブの反対側面から固定デバイス内の貫通開口へと導入され、作動ドライブは、こうしてカーカスの反対側面にねじ留めされることが可能である。
【先行技術文献】
【特許文献】
【０００４】
【特許文献１】オーストリア公開特許第５０３６６１号明細書
【発明の概要】
【発明が解決しようとする課題】
【０００５】
本発明の目的は、家具取付具を家具へ固定するための、従来技術を凌ぐ改良された固定デバイスを提供することにある。
【課題を解決するための手段】
【０００６】
この目的は、請求項１に記載されている機能を有する固定デバイスによって達成される。
【０００７】
接続エレメントは、家具取付具を家具へ固定するための２つの接続エレメント突合わせ部、および２つの接続エレメント領域の双方を有するという事実により、家具の反対側における固定デバイスによる家具取付具の組立てに際して、固定デバイスまたは家具取付具から取り外される必要がない。
【０００８】
接続エレメントは、少なくとも部分的に貫通開口内に配置され、かつ接続エレメントの可動性は固定体に対して限定的であることから、接続エレメントは、固定体において貫通開口内に留まることができ、よって、固定体に対して限定的にしか動けないという理由で、失われることのない接続エレメントを提供することが可能である。
【０００９】
固定体内または固定体上の２つの突合わせ部、および接続エレメントの２つの接続エレメント突合わせ部の装備により、接続エレメントが接続エレメント突合わせ部を１つ（例えば、ねじ頭部）しか持たない従来技術とは違って、個々の接続エレメント突合わせ部が固定体上の２つの突合わせ部のうちの一方に対応できるようになる。
【００１０】
本発明のさらなる効果的な構成は、添付の請求の範囲に規定されている。
【００１１】
接続エレメントおよび固定体は、組み立て済みの分離不可能な構造ユニットに接合された形式であれば、特に効果的であることが分かっている。これにより、接続エレメントは固定体から分離され得なくなり、よって、接続エレメントが失われないことを保証できるようになる。
【００１２】
ある好適な実施形態では、接続エレメントが固定体内の貫通開口を略貫通して延びるように規定することができる。
【００１３】
さらに好ましくは、組立て状態において、接続エレメントは一方で固定デバイス内の貫通開口内に沈んで受容され、かつ他方で家具内に受容されるように規定することもできる。したがって、この方法では、接続エレメントが固定デバイス内に沈むという事実が接続エレメントは固定デバイスを超えて横方向へ突き出さないことを意味する点に起因して、組立て状態で審美的に魅力のある固定デバイスを達成することが可能である。
【００１４】
接続エレメントは、一体式であれば特に効果的であることが発見されている。組立て時間は、接続エレメントが一体構造であることによって短く保たれることが可能である。
【００１５】
特に好ましくは、接続エレメント突合わせ部を接続エレメントから径方向へ突き出すように規定することができる。
【００１６】
この点に関連して、接続エレメント突合わせ部が接続エレメント上のフランジの形式であれば、特に効果的であることが分かっている。
【００１７】
ある好適な実施形態において、接続エレメント領域は、家具へ力によるロックおよび／またはポジティブロック関係で接続され得るように規定することができる。
【００１８】
さらに、２つの接続エレメント領域は、接続エレメント上で互いに対して対称に形成されれば、特に効果的であることが分かっている。
【００１９】
さらに、組立て位置において、接続エレメント領域は、家具取付具の左側または右側を超えて突き出していれば、効果的であることが分かっている。接続エレメント領域が家具取付具の両側面を超えて突き出すという事実は、接続エレメントが家具カーカス内へ貫入してそこで固定され得ることを意味する。
【００２０】
好ましくは、さらに、接続エレメントの接続エレメント領域は、それぞれねじ山を有するように規定することができる。固定は、ねじ山の使用によって容易に実行することが可能である。
【００２１】
ある可能な実施形態では、接続エレメントは２つの端を有し、接続エレメントのこれらの２つの端がねじボルトの形式であるように規定することができる。
【００２２】
ある好適な実施形態では、接続エレメント上に２つの別々のツール受入れ手段が設けられるように規定することができる。２つの独立したツール受入れ手段を設けることは、各々が家具取付具の側面へ嵌合するために個々に使用され得ることを意味する。
【００２３】
望ましくは、ツール受入れ手段は、スロット、または交差スロット、または六角リセス、またはヘクサロビュラリセスの形式である。
【００２４】
同様に、接続エレメントがフランジ付き両頭ボルトねじの形式であれば、効果的であることが分かっている。
【００２５】
本発明の一実施形態では、固定体は、略完全に家具取付具内に設けられる。固定体を家具取付具内に設けることは、家具取付具が完全な構造アセンブリとして予め製造されることが可能であって、家具取付具の家具への取付けに際して組立て手順を追加する必要がないことを意味する。
【００２６】
この点に関連して、特に好ましくは、固定体上の突合わせ部は、家具取付具の左右両側面と離隔された関係性で家具取付具内に設けられるように規定される。したがって、固定体の突合わせ部は家具取付具の内部に設けられ、これは、スリムな家具取付具の製造を可能にすることに寄与し得る。
【００２７】
具体的には、説明している実施形態の少なくとも１つによる、家具取付具を家具へ固定するための少なくとも１つの固定デバイスを有する家具用家具取付具に対しても保護を主張する。ある好適な実施形態では、家具取付具は、可動家具部の跳出しデバイス、駆動デバイス、引込みデバイスまたは制動デバイスの形式、または家具フラップの作動ドライブの形式、または引出し延長ガイドの形式、または照明デバイスの形式であるように規定することができる。
【００２８】
また、説明している実施形態の少なくとも１つによる、家具取付具を有する家具に対しても保護を主張する。
【図面の簡単な説明】
【００２９】
以下、本発明のさらなる詳細および優位点を、図面に例として示す実施形態を参照する具体的な記述により、さらに詳しく説明する。
【図１】図１は、家具フラップを備える家具を示す斜視図である。
【図２】図２は、家具フラップが外された状態の家具を示す斜視図である。
【図３】図３は、家具取付具が取り付けられている家具の家具カーカスの側壁を示す斜視図である。
【図４ａ】図４ａは、図３に示す家具側壁を示す斜視図である。
【図４ｂ】図４ｂは、図４ａの詳細図である。
【図５ａ】図５ａは、図３に類似する家具側壁を示す斜視図である。
【図５ｂ】図５ｂは、図５ａの詳細図である。
【図６ａ】図６ａは、固定デバイスの断面を有する家具取付具を示す側面斜視図である。
【図６ｂ】図６ｂは、図６ａの詳細図である。
【図７ａ】図７ａは、固定デバイスの断面を有する家具取付具を示す側面斜視図である。
【図７ｂ】図７ｂは、図７ａの詳細図である。
【図８ａ】図８ａは、家具取付具およびその固定デバイスの断面を示す。
【図８ｂ】図８ｂは、図８ａの詳細図である。
【図９ａ】図９ａは、家具取付具およびその固定デバイスの断面を示す。
【図９ｂ】図９ｂは、図９ａの詳細図である。
【図１０ａ】図１０ａは、接続エレメントを示す図である。
【図１０ｂ】図１０ｂは、接続エレメントを示す図である。
【図１０ｃ】図１０ｃは、接続エレメントを示す図である。
【図１０ｄ】図１０ｄは、接続エレメントを示す図である。
【図１１ａ】図１１ａは、固定デバイスを示す線図である。
【図１１ｂ】図１１ｂは、固定デバイスの一変形例を示す線図である。
【発明を実施するための形態】
【００３０】
図１は、家具１１０を示す斜視図である。この家具１１０は、家具カーカス１０７と、家具フラップ１０５の形式である可動家具部１０４とを有する。家具カーカス１０７は、さらに、家具カーカス右側面１０８と、家具カーカス左側面１０９とを有する。
【００３１】
図２に示すように、家具取付具１０１は、これらの家具カーカス両側面１０８および１０９へ、図２には示されていない固定デバイスによって固定される。本実施形態において、家具取付具１０１は、図２には示されていない家具フラップ１０５（これについては図１参照）のための作動ドライブ１０６の形式である。
【００３２】
別の家具取付具１０１は、反対の家具カーカス左側面１０９（図２では見えない）に固定される。家具取付具１０１を家具カーカスの左右各側面へ取り付けるために２つの異なる形状を製造する必要がないように、家具取付具１０１は、対称形状である場合が多く、換言すれば、家具カーカス左側面１０９にも、また家具カーカス右側面１０８にも全く同一の家具取付具１０１を固定することができる。本図において、かつ後続図においても、各々、家具１１０の家具カーカス左側壁１０９または家具カーカス右側壁１０８へ固定される家具取付具１０１を参照する。当然ながら、家具カーカス左側壁１０９または家具カーカス右側壁１０８へは固定されず、家具１１０の別の側面−例えば、家具カーカス１０７の底側または上側、または家具カーカス１０７内に配置される棚のうちの１つ、または可動家具部（家具フラップ等）、引出しまたはこれらに類似するものへ固定される家具取付具１０１について一考することも可能である点は自明であろう。
【００３３】
この点に関連して、唯一重要な考察事項は、家具取付具１０１が対称形状の構造ユニットを有し、これにより、家具取付具１０１自体が、家具１１０の片側における２つの異なる家具取付け側面（例えば、左側の家具取付け側面１０２および右側の家具取付け側面１０３等）に配置されることが可能になる点である（図５ａから図９ｂまで参照）。
【００３４】
図３は、上部領域に家具取付具１０１がその右側の家具取付け側面１０３で家具カーカス右側面１０８へ固定されている家具カーカス右側面１０８を示す。この好適な実施形態において、この家具取付具１０１は、家具フラップ１０５（図３には示されていない）のための作動ドライブ１０６の形式である。
【００３５】
この家具取付具１０１は、その対称形状によって、その左側の家具取付け側面１０２で家具カーカス左側面１０９（図３には示されていない）へ同様にうまく固定されることも可能である。
【００３６】
図４ａは、図３を参照して述べた家具カーカス右側面１０８における家具取付具１０１を示す。
【００３７】
次に、図４ｂは、家具取付具１０１の固定デバイス１００を部分的に見ることができる図４ａの詳細図を示す。この事例において、固定デバイス１００は、家具取付具１０１の左側の家具取付け側面１０２を超えて突き出す接続エレメント１を有する。家具取付具１０１は、接続エレメント１によって家具カーカス右側面１０８へ固定されることが可能である。耐久性がありかつ安定した固定を可能にするために、この事例における家具取付具１０１は複数の固定デバイス１００を有し、図４ｂの詳細図ではこれらの固定デバイス１００のうちの２つが見えている。
【００３８】
２つの接続エレメント１はまだ左側の家具取付け側面１０２より突き出ていることから、家具取付具１０１はまだ家具カーカス右側面１０８へ完全には固定されていないことが分かる。
【００３９】
完全な固定は、図５ａおよび図５ｂに示すように、接続エレメント１が完全にねじ込まれて初めて達成される。
【００４０】
図６ａは、家具取付具１０１を示す斜視図である。家具取付具１０１は複数の固定デバイス１００を有し、家具取付具１０１の内部を示すために、これらの固定デバイス１００の１つの断面図が提示してある。
【００４１】
この好適な実施形態において、家具取付具１０１は、家具フラップ１０５（本図には示されていない、図１参照）のための作動ドライブ１０６の形式である。家具取付具１０１、この場合は作動ドライブ１０６は対称形状であり、換言すれば、これは、固定デバイス１００により、その左側の家具取付け側面１０２またはその右側の家具取付け側面１０３で左右両方の家具カーカス側面へ固定することが可能である。
【００４２】
家具取付具は、可動家具部１０４（図１参照）のための跳出しデバイス、駆動デバイス、引込みデバイスまたは制動デバイスの形式である可能性もあれば、図６ａに示すように、家具フラップ１０５のための作動ドライブ１０６の形式、または引出し延長ガイドの形式または照明デバイスの形式である可能性もあることは認識されるであろう。同様に、家具１１０（図１参照）上または内部の少なくとも２つの異なる取付け位置へ固定デバイス１００によって固定されるように同期的であることが可能な他の任意のユニットを想定することも可能である。
【００４３】
図６ｂは、固定デバイス１００のうちの１つが家具取付具１０１内に存在する事例における、図６ａの詳細図である。
【００４４】
この固定デバイス１００は、家具取付具１０１を家具１１０（図１参照）へ固定する働きをし、家具取付具１０１は、固定デバイス１００により、選択的に左側の家具取付け側面１０２または右側の家具取付け側面１０３で家具１１０へ固定されることが可能である。この目的に沿って、固定デバイス１００は接続エレメント１を有し、接続エレメント１は、少なくとも２つの接続エレメント突合わせ部２および３を有し、さらに、接続エレメント１は、家具取付具１０１を家具１１０へ固定するための２つの接続エレメント領域４および５を有する。さらに、固定デバイス１００は、貫通開口２１を備える固定体２０を有し、接続エレメント１は、少なくとも部分的に、かつ好ましくは略完全に貫通開口２１内へ配置され、よって接続エレメント１はこの固定体２０に対して限定的に移動可能である。固定体２０は、さらに２つの突合わせ部２２および２３を有し、これらの突合わせ部２２および２３のそれぞれの一方は、組立て位置において２つの接続エレメント突合わせ部２および３に対応する。
【００４５】
本図から明らかに分かるように、接続エレメント１は、固定体２０内の貫通開口２１を略完全に貫通して延びる。
【００４６】
組立て状態において、接続エレメント１は、固定体２０における貫通開口２１内に沈み、反対側面で接続エレメント１は、家具１１０（不図示）の壁内へ貫入して前記壁内で固定される。
【００４７】
図６ｂを見ると、固定体２０の突合わせ部２２は、接続エレメント突合わせ部２に対応し、かつこれに当接する。
【００４８】
組立てを目的として、家具取付具１０１は、その右側の家具取付け側面１０３を家具１１０（図１参照）の壁（本図には示されていない）に当てて保持される。好ましくは、家具１１０の壁には既製の開口が設けられ、これらの開口は、接続エレメント１の接続エレメント領域４および５に対応する。接続エレメント１の端が家具１１０の壁における開口の上方に配置されると、接続エレメント１は、そのツール受入れ手段１４によって家具１１０の壁内へねじ込まれることが可能である。この目的に沿って、接続エレメント１は、その接続エレメント領域４および５に各々ねじ山７および８を有する。図示されているように、接続エレメント１のねじ山７は、家具１１０の壁内へ貫入していく。
【００４９】
接続エレメント１の接続エレメント突合わせ部２が固定体２０の突合わせ部２２に出合うとすぐに、固定デバイス１００およびこれに伴う家具取付具１０１は、家具１１０の壁方向へ引き寄せられる。右側の家具取付け側面１０３が家具１１０の壁に出合うとすぐに、家具取付具１０１は、接続エレメント１および固定体２０によって家具１１０へ固定される。
【００５０】
この好適な実施形態において、接続エレメント１と家具１１０の壁との間の接続は、ねじ山７によって行われる。これが、このような接続エレメント１の形状として可能なものの１つであるに過ぎないことは認識されるであろう。当業者にとって、家具１１０に対する他の任意の力によるロック接続および／またはポジティブロック接続を想定することも可能である点は自明である。したがって、この接続は、例えば、スプレッダデバイスまたはプレス接続、クランプデバイスまたはこれらに類似するものによって行われる可能性もある。
【００５１】
本図から明らかに分かるように、固定デバイス１００の固定体２０は完全に家具取付具１０１の内部に設けられ、家具取付具１０１と共にコンパクトな既製アセンブリを形成している。
【００５２】
また、本図からは、接続エレメント１が対称性であって、フランジ６が接続エレメント１の中心に配置されていることも明らかに分かる。このフランジ６上には、接続エレメント突合わせ部２がその片側に設けられ、かつ接続エレメント突合わせ部３が反対側に設けられる。また、各々がねじ山７および８を有する２つの接続エレメント領域４および５も同じく、互いに対して対称的に形成される。したがって、接続エレメント領域４および５は、それらの受入れ手段１３および１４と共にねじボルト１１および１２を呈し、互いに対向するツール受入れ手段はそれぞれ接続エレメント領域の固定に関与する。言い替えれば、接続エレメント領域４は、ツール受入れ手段１４によって家具１１０へ接続され、かつ接続エレメント領域５は、ツール受入れ手段１３によって家具１１０へ接続される。
【００５３】
次に、図７ａおよび図７ｂは、同じ家具取付具１０１の、家具１１０（不図示）の反対側に配置された壁への取付けを示す。相応に、図６ａおよび図６ｂに関連して参照した全てのことがここでも当てはまるが、この場合の取付けは、家具取付具１０１のその左側の家具取付け側面１０２を用いる家具１１０（これらの図には示されていない）への取付けである点が異なる。
【００５４】
図７ａおよび図７ｂから明らかに分かるように、接続エレメント１および固定デバイス１００の固定体２０は、合わせて組み立て済みの分離不可能な構造ユニット５０を形成する。この方法では、接続エレメント１が固定デバイス１００または関連の家具取付具１０１の取付け前に失われないようにすることが可能である。
【００５５】
また、固定デバイス１００は、家具取付具１０１と共に、組み立て済みの分離不可能な構造アセンブリを形成する。
【００５６】
図示されている家具取付具１０１は、家具取付具１０１を家具１１０へ固定する４つの固定デバイス１００を有する。これは、確実な保持を保証する働きをする。また、家具取付具１０１を家具１１０に固定するに当たっては、１つの固定デバイス１００のみで足りると想定することも可能である点は認識されるであろう。
【００５７】
図６ｂおよび図７ｂから、接続エレメント１の接続エレメント領域４および５は、固定デバイス１００または家具取付具１０１の取付け位置において、各々左側の家具取付け側面１０２および右側の家具取付け側面１０３を超えて突き出し、よって、これらの接続エレメント領域４および５によって家具１１０内へ貫入できることが明らかに分かる。反対側において、接続エレメント１は、固定デバイス１００の内部に、ひいては家具取付具１０１の内部に姿を隠し、よって、取付け状態では各々左側の家具取付け側面１０２および右側の家具取付け側面１０３を超えて突き出すものがないことから、美学上魅力のあるアセンブリを形成する。さらに、この図７ｂから、接続エレメント１の２つの端９および１０はねじボルト１１および１２の形式であり、かつこの好適な実施形態において、接続エレメント１はフランジ６を有する両頭ボルトねじ４０の形式であることが明らかに分かる。
【００５８】
図８ａおよび図８ｂ、および図９ａおよび図９ｂは各々、家具取付具１０１の側面図における断面を示す。
【００５９】
この点に関連して、図８ａおよび図８ｂは図７ａおよび図７ｂにおける斜視図に対応し、かつその状況は、図６ａおよび図６ｂにおける斜視図に対応する図９ａおよび図９ｂに類似する。
【００６０】
したがって、図６ａおよび図６ｂに関する説明は、図９ａおよび図９ｂにも当てはまり、同様に、図７ａおよび図７ｂの説明が図８ａおよび図８ｂに関しても当てはまる。
【００６１】
図８ｂおよび図９ｂから、固定体２０は完全に家具取付具１０１内に設けられ、よって左側および右側の家具取付け側面１０２および１０３から突き出さないことが明らかに分かる。固定体２０の突合わせ部２２および２３は、家具取付具１０１内に、各々左側および右側の家具取付け側面１０２および１０３から離隔された関係性で設けられる。これは、コンパクトなアセンブリの達成を可能にする。
【００６２】
図１０ａから図１０ｄまでは、各々、それぞれ接続エレメント１を示す。この好適な実施形態では、図から明らかに分かるように、接続エレメント１が一体式である。
【００６３】
この事例において、接続エレメント１は、この好適な実施形態では各々ねじ山７および８の形式である２つの接続エレメント領域４および５を有する。同様に、接続エレメント１は、この好適な実施形態では接続エレメント１から径方向に突き出す２つの接続エレメント突合わせ部２および３を有する。この場合、特に好ましくは、接続エレメント突合わせ部２および３が接続エレメント１上のフランジ６の形式であるように規定される。
【００６４】
図１０ｃからは、明らかに、接続エレメント１の２つの端９および１０がねじボルト１１および１２の形式であることが分かる。
【００６５】
接続エレメント１上には、２つの別々のツール受入れ手段１３および１４が設けられ、接続エレメント１は、これらによって家具１１０（図１０ｃには示されていない）内へねじ留めされることが可能である。本図において好適に示されているように、ツール受入れ手段１３および１４は交差スロット形式のツール受入れ手段であるが、当然ながら、これらのツール受入れ手段１３および１４は、例えばスロット、または六角リセス、またはヘクサロビュラリセスまたはこれらに類似するものの形式のような他の適切なツール用に適合化されることも等しく想定されることが可能である。
【００６６】
さらに、図１０ｃから明らかに分かるように、接続エレメント１の２つの接続エレメント領域４および５は互いに対称であり、厳密に言えば、この好適な実施形態において、接続エレメント１全体は、フランジ６を有する両頭ボルトねじ４０形式の対称形状である。
【００６７】
次に、家具取付具１０１と家具１１０（本図には示されていない）との対称性の固定に関する原理について、図１１ａを参照し、かつ図１１ｂにおけるその変形例において説明する。
【００６８】
この点に関連して、図１１ａは、先行する諸図において説明したような固定体２０および接続エレメント１を有する固定デバイス１００を示している。
【００６９】
左側面での固定のために、接続エレメント１は、ここではねじ込み、変位またはこれらに類似するもののいずれによるかに関わりなく、左へ、接続エレメント１の接続エレメント突合わせ部２が固定体２０の突合わせ部２２と出合うまで移動され、よって、固定デバイス１００は左側で固定されることが可能である。
【００７０】
右側面での固定が希望されれば、接続エレメント１は右へ、接続エレメント１上の接続エレメント突合わせ部３が固定体２０の突合わせ部２３と出合うまで移動され、よって、固定デバイス１００は右側で固定されることが可能である。
【００７１】
図１１ｂは、図１１ａに示す固定デバイス１００の一変形例を示している。接続エレメント１の接続エレメント突合わせ部２および３が固定デバイス１００の固定体２０の突合わせ部２２および２３の間に配置される図１１ａの実施形態に対して、図１１ｂの場合、固定体の突合わせ部２２および２３は、接続エレメント１の接続エレメント突合わせ部２および３の間に配置される。
【００７２】
固定自体は同じ方式で実行され、換言すれば、左側面での固定の場合、接続エレメント１は左へ、接続エレメント突合わせ部３が固定体２０上の突合わせ部２３と出合うまで移動され、これにより、固定デバイス１００は左側面で固定されることが可能である。右側面での固定の場合、接続エレメント１は右へ、接続エレメント突合わせ部２が固定体２０上の突合わせ部２２と出合うまで移動され、これにより、固定デバイス１００は右側面で固定されることが可能である。
【図１】
0005820076.tif 000002
【図２】
0005820076.tif 000003
【図３】
0005820076.tif 000004
【図４ａ】
0005820076.tif 000005
【図４ｂ】
0005820076.tif 000006
【図５ａ】
0005820076.tif 000007
【図５ｂ】
0005820076.tif 000008
【図６ａ】
0005820076.tif 000009
【図６ｂ】
0005820076.tif 000010
【図７ａ】
0005820076.tif 000011
【図７ｂ】
0005820076.tif 000012
【図８ａ】
0005820076.tif 000013
【図８ｂ】
0005820076.tif 000014
【図９ａ】
0005820076.tif 000015
【図９ｂ】
0005820076.tif 000016
【図１０ａ】
0005820076.tif 000017
【図１０ｂ】
0005820076.tif 000018
【図１０ｃ】
0005820076.tif 000019
【図１０ｄ】
0005820076.tif 000020
【図１１ａ】
0005820076.tif 000021
【図１１ｂ】
0005820076.tif 000022